(57)【要約】【課題】メンテナンス中等のように乗客の侵入を阻止したい場合には、乗客の誤侵入を確実に防止できる乗客コンベアの表示装置を提供する。【解決手段】乗客コンベアの乗降口の床１０内に設けられた収容室１１と、収容室１１の上面を塞ぐように床面に配置される透光性の保護ガラス体１２と、保護ガラス体１２で塞がれた収容室１１内に収容される収容状態と、床面上に立設される立設状態とに姿勢を可変でき、映像信号に基づいた表示内容を画面に表示する表示部１３とを備えた。【選択図】図３
2008019008.tif 000002
【特許請求の範囲】
【請求項１】
乗客コンベアの乗降口の床内に設けられた収容室と、
前記収容室の上面を塞ぐように床面に配置される透光性の保護体と、
前記保護体で塞がれた前記収容室内に収容される収容状態と、前記床面上に立設される立設状態とに姿勢を変位でき、映像信号に基づいた表示内容を画面に表示する表示部と、
を備えたことを特徴とする乗客コンベアの表示装置。
【請求項２】
前記表示部が立設状態の場合に、前記収容室の開放された箇所を塞ぐ閉塞プレートを設けたことを特徴とする請求項１に記載された乗客コンベアの表示装置。
【請求項３】
前記表示部は、表示内容を無線情報伝達手段を用いて変更できることを特徴とする請求項１又は請求項２に記載された乗客コンベアの表示装置。
【請求項４】
立設状態の前記表示部には、乗客コンベアがメンテナンス中であることを認識させる内容を表示することを特徴とする請求項１乃至請求項３のいずれか一項に記載された乗客コンベアの表示装置。
【請求項５】
収容状態の前記表示部には、乗客コンベアに関する情報、もしくは設置施設に関する情報を表示することを特徴とする請求項１乃至請求項４のいずれか一項に記載された乗客コンベアの表示装置。
【請求項６】
前記保護体の上面には、凹凸が形成されていることを特徴とする請求項１乃至請求項５のいずれか一項に記載された乗客コンベアの表示装置。
【発明の詳細な説明】
【技術分野】
【０００１】
本発明は、昇降口の床面に設置される乗客コンベアの表示装置に関する。
【背景技術】
【０００２】
乗客コンベアの乗降口の床面に表示部を設置したものが提案されている（特許文献１及び特許文献２参照）。この表示部は、映像信号に基づいた表示内容を画面に表示するものであり、その表示内容を自由に可変できる。例えば、階床文字や昇降方向を示す内容を表示することによって乗客コンベアの利便性を向上させることができる。
【０００３】
また、乗客コンベアがメンテナンス中の場合には、表示部にその旨を表示し、これによって乗客の誤侵入を未然に防止できる。
【特許文献１】特開平２−２０９３８７号
【特許文献２】実開昭６２−１３２０９１号
【発明の開示】
【発明が解決しようとする課題】
【０００４】
しかしながら、乗降口の床面自体はフラットな面であるため、その床面に表示されたメンテナンス中の表示を見落とす可能性があり、乗客の誤侵入を確実に防止することができない。
【０００５】
そこで、本発明は、メンテナンス中等のように乗客の侵入を阻止したい場合には、乗客の誤侵入を確実に防止できる乗客コンベアの表示装置を提供することを目的とする。
【課題を解決するための手段】
【０００６】
本発明は、乗客コンベアの表示装置であって、乗客コンベアの乗降口の床内に設けられた収容室と、この収容室の上面を塞ぐように前記床面に配置される透光性の保護体と、この保護体で塞がれた前記収容室内に収容される収容状態と、前記床面上に立設される立設状態とに姿勢を変位でき、映像信号に基づいた表示内容を画面に表示する表示部とを備えたことを特徴とする。
【発明の効果】
【０００７】
本発明によれば、昇降口の床面に表示部を立設し、表示部に侵入できない理由等を表示すれば、表示内容が見やすく、且つ、仮に表示内容を見落とした場合でも表示部が床面より突出しているため、乗客が乗客コンベアに乗り込むことはない。メンテナンス中等のように乗客の乗り込みを阻止したい場合には、乗客の誤侵入を確実に防止できる。
【発明を実施するための最良の形態】
【０００８】
以下、本発明の実施の形態を説明する。
【０００９】
（第１の実施の形態）
図１〜図８は本発明の第１の実施の形態を示し、図１はエスカレータの概略構成図、図２（ａ）は表示部の収容状態を示す平面図、図２（ｂ）は表示部の収容状態を示す断面図、図３（ａ）は表示部の立設状態を示す平面図、図３（ｂ）は表示部の立設状態を示す断面図、図４（ａ）、（ｂ）〜図７（ａ）、（ｂ）はそれぞれ収容状態にある場合の表示部の表示例を示す図、図８は立設状態にある場合の表示部の表示例を示す図である。
【００１０】
図１において、乗客コンベアとしてのエスカレータ１は、上階床（図示せず）と下階床（図示せず）の間に亘って配置されたトラス構造体２と、このトラス構造体２内で、且つ、上階床と下階床の各近傍位置に配置された一対の踏段チェーン歯車３，４と、この一対の踏段チェーン歯車３，４の間に掛け渡された無限端の踏段チェーン（図示せず）と、この踏段チェーンに連鎖状に支持された複数の踏段６と、トラス構造体２の上面の左右位置に立設された一対の欄干７と、この一対の欄干７の外周を移動軌跡とする一対の移動手摺８とを備えている。
【００１１】
トラス構造体２には、上階床（図示せず）と下階床（図示せず）の同一高さに、昇降口の床１０がそれぞれ形成されている。乗客は、昇降口の一方の床１０を通ってエスカレータ１に進入し、他方の床１０を通ってエスカレータ１から退出する。
【００１２】
各昇降口の床１０内には、収容室１１がそれぞれ形成されている。各収容室１１の上面を塞ぐように保護体としての保護ガラス体１２が配置され、この保護ガラス体１２で塞がれた収容室１１内に表示部１３が収容されている。
【００１３】
保護ガラス体１２は、透光性の強化ガラス材にて形成され、表示部１３の表示面を保護している。保護ガラス体１２は、表示部１３に一体に固定されている。保護ガラス体１２は、表示部１３と共に収容室１１から取り出される。
【００１４】
表示部１３は、図２に示すように、収容室１１内に収容される収容状態と、図３に示すように、床面上に立設される立設状態とに姿勢を可変できる。表示部１３が立設状態とされた場合に、収容室１１の開放された箇所は閉塞プレート１４によって塞がれる。
【００１５】
表示部１３は、映像信号に基づいた表示内容を画面に表示できる装置であり、例えば液晶モニタやＬＥＤ表示器にて形成される。又、表示部１３は、表示内容を無線ＬＡＮやブルーツース等の無線情報伝達手段（図示せず）を用いて変更できるよう構成されている。
【００１６】
次に、表示部１３の表示内容について説明する。表示部１３が収容状態では、図４（ａ）、（ｂ）に示すように、設置施設に関する情報である床階情報を表示する。又、図５（ａ）、（ｂ）や図６（ａ）、（ｂ）に示すように、エスカレータ１に関する情報であるエレベータ１の稼働状況やその移動方向を表示する。更に、図７（ａ）、（ｂ）に示すように、設置施設に関する情報とエスカレータ１に関する情報の双方を表示する。これら以外の表示例としては、デパートの商品コマーシャル、アミューズメントパークのキャラクター案内・注意事項説明等がある。このように多目的な情報を表示しても良い。
【００１７】
また、エスカレータ１のメンテナンス時には保守員が表示部１３を立設状態とする。この表示部１３の立設状態では、図８に示すように、エスカレータ１がメンテナンス中であることを認識させる内容を表示する。
【００１８】
以上、本実施の形態では、昇降口の床１０内に収容した表示部１３を床１０に立設できるように構成したので、昇降口の床１０に表示部１３を立設し、表示部１３に侵入できない理由等を表示すれば、表示内容が見やすく、且つ、仮に表示内容を見落とした場合でも表示部１３が床面より突出しているため、乗降がエスカレータ１に誤って乗り込むことを阻止することができる。以上より、メンテナンス中等のように乗客の乗り込みを阻止したい場合には、乗客の誤侵入を確実に防止できる。
【００１９】
又、表示部１３の表示面は保護ガラス体１２で保護されているため、表示部１３の損傷を防止できる。
【００２０】
この第１の実施の形態では、表示部１３が立設状態とされた場合に、収容室１１の開放された箇所を塞ぐ閉塞プレート１４を設けたので、保守員等が収容室１１に落下等する事故を予防できる。これにより、エスカレータの安全性の向上を図ることができる。
【００２１】
この第１の実施の形態では、表示部１３の表示内容を無線ＬＡＮやブルーツース等の無線情報伝達手段（図示せず）を用いて変更できるので、表示部１３を収容室１１から取り出すことなく、ニーズに合わせた情報表示を迅速に行うことができる。
【００２２】
この実施の形態では、表示部１３に保護ガラス体１２が一体に固定されているため、姿勢変更作業時に表示部１３と保護ガラス体１２を一体に取り扱うことができ、取扱い性が良い。
【００２３】
（第２の実施の形態）
図９及び図１０は本発明の第２の実施の形態を示し、図９は表示部の収容状態を示す断面図、図１０は表示部の立設状態を示す断面図である。なお、図９及び図１０において、第１の実施の形態と同一構成箇所には同一符号を付している。
【００２４】
図９及び図１０に示すように、この第２の実施の形態では、表示部１３の背面に閉塞プレート１５の先端が回転自在で、且つ、背面の上下方向に沿ってスライド自在に支持されている。図９に示すように、表示部１３の背面に閉塞プレート１５を密着させた状態として表示部１３を収容室１１内に収容する。そして、図１０に示すように、表示部１３を床１０上に立設させる場合には、閉塞プレート１５を表示部１３の背面の下方にスライドさせ、閉塞プレート１５の下端を収容室１１の端面に係止させる。これによって、収容室１１の開放された箇所が閉塞プレート１５で塞がれる。
【００２５】
この第２の実施の形態によれば、閉塞プレート１５の収容と設置が簡単にできる。しかも、閉塞プレート１５が表示部１３の立設状態を確実に保持する。
【００２６】
（第３の実施の形態）
図１１及び図１２は本発明の第３の実施の形態を示し、図１１は表示部の収容状態を示す断面図、図１２は表示部の立設状態を示す断面図である。なお、図１１及び図１２において、第１の実施の形態と同一構成箇所には同一符号を付している。
【００２７】
図１１及び図１２に示すように、この第３の実施の形態では、表示部１３の背面には係止フック１３ａが固定されている。又、収容室１１の端面には閉塞プレート１６が回転自在に支持されている。図１１に示すように、閉塞プレート１６を収容室１１の奥深くに収容して表示部１３を収容室内１１に収容する。そして、図１２に示すように、表示部１３を床１０上に立設させる場合には、表示部１３を立設状態とし、閉塞プレート１６を収容室１１内で回転し、閉塞プレート１６の先端を表示部１３の係止フック１３ａに係止させる。これによって、収容室１１の開放された箇所が閉塞プレート１６で塞がれる。
【００２８】
この第２の実施の形態によれば、閉塞プレート１６の収容と設置が簡単にできる。しかも、閉塞プレート１６が表示部１３の立設状態を確実に保持する。
【００２９】
（保護ガラス体の変形例）
図１３（ａ）、（ｂ）〜図１６（ａ）、（ｂ）は保護ガラス体の第１変形例〜第４変形例をそれぞれ示し、図１３〜図１６の各（ａ）は各変形例の保護ガラス体の平面図、図１３〜図１６の各（ｂ）は各保護ガラス体の正面図である。各変形例では、保護ガラス体１２Ａ〜１２Ｄの上面に各種形態の凹凸がそれぞれ形成されている。具体的に説明すると、図１３（ａ）、（ｂ）では、保護ガラス体１２Ａの上面に格子状に配索された凸部２０が形成されている。図１４（ａ）、（ｂ）では、保護ガラス体１２Ｂの上面に正方形の凹面２１ａと凸面２１ｂが格子状に交互に形成されている。図１５（ａ）、（ｂ）では、保護ガラス体１２Ｃの上面に格子状の配索された凹部２２が形成されている。図１６（ａ）、（ｂ）では、保護ガラス体１２Ｄの上面に、円形の凹部２３が等間隔に形成されている。尚、円形の凹部２３ではなく凸部を形成しても良い。
【００３０】
この第１〜第４変形例の保護ガラス体１２Ａ〜１２Ｄでは、その上面に凹凸があるため、雨の日等で保護ガラス体１２Ａ〜１２Ｄの上面が水に濡れたとしても乗客が足を滑らすことを極力防止できる。
【００３１】
これら各実施の形態では、表示部１３は床１０に何ら支持されていないが、表示部１３を床１０に回転自在に支持し、表示部１３を回転操作することによって収容状態と立設状態に変更できるにしても良い。このようにすれば、表示部１３の姿勢変更作業性が向上する。
【００３２】
また、これら各実施の形態では、乗客コンベアがエスカレータ１の場合を説明したが、エスカレータ以外の乗客コンベア（例えば動く歩道）にも同様に適用できることはもちろんである。又、乗客コンベアは、屋内と屋外のいずれに設定されたものであっても良い。更に、トラス構造体２の外装部材や欄干７，（図示せず）は、透光性部材と不透光性部材のいずれの部材で形成されたものであっても良い。
【００３３】
さらに、これら各実施の形態では、保護体がガラスでなるが、合成樹脂などの他の材料で構成されていても勿論良い。
【図面の簡単な説明】
【００３４】
【図１】本発明の第１の実施の形態に係るエスカレータの概略構成図である。
【図２】（ａ）は本発明の第１の実施の形態に係る表示部の収容状態を示す平面図、（ｂ）はその断面図である。
【図３】（ａ）は本発明の第１の実施の形態に係る表示部の立設状態を示す平面図、（ｂ）は表示部の立設状態を示す断面図である。
【図４】（ａ）、（ｂ）はそれぞれ収容状態にある場合の表示部の表示例を示す図である。
【図５】（ａ）、（ｂ）はそれぞれ収容状態にある場合の表示部の表示例を示す図である。
【図６】（ａ）、（ｂ）はそれぞれ収容状態にある場合の表示部の表示例を示す図である。
【図７】（ａ）、（ｂ）はそれぞれ収容状態にある場合の表示部の表示例を示す図である。
【図８】立設状態にある場合の表示部の表示例を示す図である。
【図９】本発明の第２の実施の形態に係る表示部の収容状態を示す断面図である。
【図１０】本発明の第２の実施の形態に係る表示部の立設状態を示す断面図である。
【図１１】本発明の第３の実施の形態に係る表示部の収容状態を示す断面図である。
【図１２】本発明の第３の実施の形態に係る表示部の立設状態を示す断面図である。
【図１３】（ａ）は第１変形例に係る保護ガラス体の平面図、（ｂ）はその正面図である。
【図１４】（ａ）は第２変形例に係る保護ガラス体の平面図、（ｂ）はその正面図である。
【図１５】（ａ）は第３変形例に係る保護ガラス体の平面図、（ｂ）はその正面図である。
【図１６】（ａ）は第４変形例に係る保護ガラス体の平面図、（ｂ）はその正面図である。
【符号の説明】
【００３５】
１  エスカレータ（乗客コンベア）
１０  昇降口の床
１１  収容室
１２，１２Ａ〜１２Ｄ  保護ガラス体
１３  表示部
１４，１５，１６  閉塞プレート
【図１】
2008019008.tif 000003
【図２】
2008019008.tif 000004
【図３】
2008019008.tif 000005
【図４】
2008019008.tif 000006
【図５】
2008019008.tif 000007
【図６】
2008019008.tif 000008
【図７】
2008019008.tif 000009
【図８】
2008019008.tif 000010
【図９】
2008019008.tif 000011
【図１０】
2008019008.tif 000012
【図１１】
2008019008.tif 000013
【図１２】
2008019008.tif 000014
【図１３】
2008019008.tif 000015
【図１４】
2008019008.tif 000016
【図１５】
2008019008.tif 000017
【図１６】
2008019008.tif 000018